(57)【要約】【課題】ボルトに螺合して該ボルトに対し相対的に回転可能であるとともに専用の工具を要することなく、それだけ簡単な操作で、且つ、ボルト雄ねじ部を実用上差し支えるほど傷付ける恐れなく、該ボルト上の所定位置に、位置替え可能に、信頼性高く回り止めロック可能であり、各種分野に利用できる構造簡単なロックナットを提供する。【解決手段】ナット雌ねじ部を提供するコイルばね１を内蔵しているとともに、外部からの操作によりコイルばね１の伸縮方向に可動のばね操作部（第１リング部）２であって該方向の移動によりコイルばね１を圧縮させてコイルばね１の螺旋ピッチをナット雌ねじ部を提供する螺旋ピッチＰから外れた螺旋ピッチＰ’に変更するものを備えているロックナットＲ１。【選択図】　　図４
2004019816.tif 000002
【特許請求の範囲】
【請求項１】
ナット雌ねじ部を提供するコイルばねを内蔵しているとともに、外部からの操作により該コイルばねの伸縮方向に可動のばね操作部であって該方向の移動により該コイルばねを圧縮又は伸長させて該コイルばねの螺旋ピッチを前記ナット雌ねじ部を提供する螺旋ピッチから外れた螺旋ピッチに変更するばね操作部を備えていることを特徴とするロックナット。
【請求項２】
ナット雌ねじ部を提供するコイルばねと、
前記ばねの伸縮を許すように該ばねに外嵌されたばねケースと、
前記ばねを間にして前記ばねケースの両端部に設けられたリング部とを含み、前記両リング部のうち少なくとも一方はばね操作部であり、外部からの操作により前記コイルばねの伸縮方向に可動に前記ばねケースに設けられ、該方向に動かされることで前記コイルばねを圧縮又は伸長させて該コイルばねの螺旋ピッチを前記ナット雌ねじ部を提供する螺旋ピッチから外れた螺旋ピッチに変更可能であり、
前記両リング部のうち少なくとも一方は前記ばねケース及び前記コイルばねと共に回るように該ばねケースに設けられているとともに該コイルばねに臨設されているロックナット。
【請求項３】
前記ばね操作部である少なくとも一つのリング部の一部は、前記コイルばねの螺旋ピッチが前記ナット雌ねじ部を提供する螺旋ピッチを示しているとき前記ばねケースの端部外へ突出しており、該突出したリング部の一部に外力を加えて該リング部を前記ばねケース側へ押すことで該コイルばねを圧縮してその螺旋ピッチを前記ナット雌ねじ部を提供する螺旋ピッチから外れた螺旋ピッチに変更可能である請求項２記載のロックナット。
【請求項４】
前記ばね操作部である少なくとも一つのリング部は前記ばねケース内へ延在する内ケース部を有しており、該内ケース部に前記コイルばねが内嵌している請求項３記載のロックナット。
【請求項５】
前記ばね操作部である少なくとも一つのリング部は前記コイルばねの伸縮方向に可動に前記ばねケースに螺合され、該リング部を回して該ばねケース側へ移動させることで前記コイルばねを圧縮してその螺旋ピッチを前記ナット雌ねじ部を提供する螺旋ピッチから外れた螺旋ピッチに変更可能である請求項２記載のロックナット。
【請求項６】
ナット雌ねじ部を提供するコイルばねと、
前記ばねの伸縮を許すように該ばねに外嵌されたばねケースと、
前記ばねを間にして前記ばねケースの両端部に設けられたリング部とを含み、前記両リング部のうち一方はばね操作部であり、前記コイルばねの伸縮方向に可動に前記ばねケースに嵌められ、前記コイルばねの螺旋ピッチが前記ナット雌ねじ部を提供する螺旋ピッチを示しているとき、一端部が前記ばねケースの端部外へ突出するとともに他端部が前記コイルばねに臨み、
前記両リング部のうち他方は前記ばねケース及びコイルばねと共に回るように該ばねケースに設けられているとともに該コイルばねに臨設されており、
前記ばね操作部であるリング部の前記突出した一端部に外力を加えて該リング部を前記ばねケース側へ押すことで該コイルばねを圧縮してその螺旋ピッチを前記ナット雌ねじ部を提供する螺旋ピッチから外れた螺旋ピッチに変更可能であるロックナット。
【請求項７】
ナット雌ねじ部を提供するコイルばねと、
前記ばねの伸縮を許すように該ばねに外嵌されたばねケースと、
前記ばねを間にして前記ばねケースの両端部に設けられたリング部とを含み、前記両リング部のうち一方はばね操作部であり、前記コイルばねの伸縮方向に可動に前記ばねケースに螺合されて前記コイルばねに当接可能であり、　　　　前記両リング部のうち他方は前記ばねケース及びコイルばねと共に回るように該ばねケースに設けられているとともに該コイルばねに臨設されており、
前記ばね操作部であるリング部を回して前記ばねケース側へ移動させることで前記コイルばねを圧縮して該ばねの螺旋ピッチを前記ナット雌ねじ部を提供する螺旋ピッチから外れた螺旋ピッチに変更可能であるロックナット。
【発明の詳細な説明】
【０００１】
【発明の属する技術分野】
本発明は自身に回り止め機構を有するロックナットに関する。
【０００２】
【従来の技術】
雄ねじ部を有するボルトに螺合可能の雌ねじ部を有するナットは各種分野において利用されている。例えば、
（１）二つ又はそれ以上の物品を固定或いは連結するとき、それら物品にボルトが貫通され、該ボルトにナットが螺合される。
（２）或る物品に予め植え込み固定されたボルトを利用して該物品に他の物品を固定或いは連結するとき、該植え込みボルトに他の物品が嵌め込まれ、その後に該ボルトにナットが螺合される。
（３）物品を直線駆動するとき、物品に搭載されたナットをボルトに螺合させ、該ボルトとナットを相対的に回転させることで該物品をボルトに沿って直線駆動することが行われている。また、ボルト端部等に物品を連結しておき、該ボルトにナットを螺合させ、該ボルトとナットを相対的に回転させることで該物品をボルト移動に伴ってボルト長手方向に直線駆動することもある。このようなボルトとナットの組み合わせ機構の代表的なものとしてボールねじ機構がよく知られている。
【０００３】
前記（１）や（２）の場合、ナットは物品に当接緊締されたり、ボルト上の所定位置に配置されたりするのであるが、該ナットの回り止めのためにしばしばもう一つの同様のナットがロック用ナットとしてボルトに螺合され、先のナットに当接緊締される。いわゆるダブルナット方式が採用される。
【０００４】
また、ダブルナット方式を採用せず、先のナットとしてボルトに圧着可能或いは圧潰可能なナットを用い、これをボルト上の所定位置に圧着固定或いは圧潰固定する場合もある。ダブルナット方式を採用する場合にも、後のナット等にかかる圧着可能或いは圧潰可能なナットを用いる場合もある。
【０００５】
また、ダブルナット方式を採用する、しないのいずれにしても、回り止め機構付きナットを採用する場合もある。例えば、ナット表面に放射状に溝が形成されており、該ナットをボルトの所定位置に配置したあと、該溝に割りピンを嵌めるとともに該ピンをボルトに設けた貫通孔に通して折り曲げるというものがよく知られている。
【０００６】
前記（３）の場合、物品をボルト上の所定位置に相対的に位置決めすべく、該ボルトに或いは該ボルトの近傍に位置決め部材を固定したり、ボルトに位置決め用ナットを螺合させておくことも行われている。ナットを採用する場合、前記と同様のダブルナット方式を採用したり、或いはボルトに圧着可能又は圧潰可能なナットや、適当な回り止め機構付きナットが採用されたりする。
【０００７】
【発明が解決しようとする課題】
しかしながら、前記（１）や（２）の場合において、ナットの回り止めとして通常のナットによるダブルナット方式を採用するときは、ダブルナットが同時に回ってしまったり、一方のナットが緩んで回ってしまうことがあり、ナット回り止めの信頼性が十分でない。
【０００８】
ボルト上の所定位置に圧着固定或いは圧潰固定可能なナットは、その圧着や圧潰に専用の工具を要するので取り扱いが面倒であるとともに、ナット位置の変更の要求があったとき、その変更は極めて困難又は不可能であり、仮に変更できたとしてもボルト雄ねじが破損していて該ボルトの使用が困難又は不可能であることが多い。
【０００９】
従来の回り止め機構付きナットは、それ自体の取り扱いが面倒であったり、使用場所によっては取り扱いが困難なものであったりし、また、位置替えが困難であったりする。さらに構造が複雑であったり、特殊なものであったりして高価で簡単には採用し難いものもある。
【００１０】
前記（３）の場合、物品をボルト上の所定位置に相対的に位置決めすべく、該ボルトに或いは該ボルトの近傍に位置決め部材を固定することは位置決め用ナットをボルトに配置することに比べて面倒である。かといって、位置決め用ナットをボルトに配置するときには、該ナットの回り止め、換言すれば所定位置の維持に関して、前記（１）や（２）の場合と同様の問題がある。
【００１１】
そこで本発明は、ボルトに螺合して該ボルトに対し相対的に回転可能であるとともに専用の工具を要することなく、それだけ簡単な操作で、且つ、ボルト雄ねじ部を実用上差し支えるほど傷付ける恐れなく、該ボルト上の所定位置に、位置替え可能に、信頼性高く回り止めロック可能であり、各種分野に利用できる構造簡単なロックナットを提供することを課題とする。
【００１２】
【課題を解決するための手段】
本発明は前記課題を解決するため、ナット雌ねじ部を提供するコイルばねを内蔵しているとともに、外部からの操作により該コイルばねの伸縮方向に可動のばね操作部であって該方向の移動により該コイルばねを圧縮又は伸長させて該コイルばねの螺旋ピッチを前記ナット雌ねじ部を提供する螺旋ピッチから外れた螺旋ピッチに変更するばね操作部を備えていることを特徴とするロックナットを提供する。
【００１３】
このロックナットは、ナット雌ねじ部を提供するコイルばねをボルトに螺合させることで、ボルトに対し相対的に回転できる。
【００１４】
また、ボルト上の所定位置においてばね操作部が外部からの操作によりコイルばねに対し該ばねの伸縮方向に動かされることで、該コイルばねが圧縮又は伸長されて該コイルばねの螺旋ピッチがナット雌ねじ部を提供する螺旋ピッチから外れた螺旋ピッチに変更される。それにより該ばねがボルトの雄ねじ部のねじ山の側面に圧接されて該ばねとボルトねじとの摩擦抵抗が生じ、この摩擦抵抗によりボルト上の所定位置に確実に回り止めロックされる。このときコイルばねはボルトのねじ山側面に圧接されるだけであるから、ボルト雄ねじ部を実用上差し支えるほど傷付ける恐れはない。
【００１５】
回り止めロックするためのばね操作部の操作はばね操作部をコイルばねの伸縮方向に動かすだけのものであるからその操作は簡単であり、高価であったり、複雑な構造であったりする特別な工具は必要なく、簡単な操作で回り止めロックできる。
【００１６】
ばね操作部に対する外部からの操作としては、代表例として、該ばね操作部が、他の物品（例えばボルト上の他のナット等の物品）に相対的に圧接されることで受ける押圧操作（コイルばね圧縮のための操作）の他、人による手動操作（コイルばねの圧縮又は引っ張りのための操作）等を挙げることができる。
【００１７】
また、ばね操作部に対する外部からの操作を解除或いは該外部からの操作の反対の外部操作によりばね操作部を反対方向に移動させることでコイルばねの螺旋ピッチをナット雌ねじ部を提供するピッチに戻すことができ、これにより再び全体がボルトに対し相対回転可能となり、ボルト上の位置替えも可能となる。
【００１８】
さらに本発明にかかる前記ロックナットは構造簡単に、それだけ安価に製作できる。
【００１９】
本発明に係るロックナットは例えば、
ナット雌ねじ部を提供するコイルばねと、
該ばねの伸縮を許すように該ばねに外嵌されたばねケースと、
該ばねを間にして該ばねケースの両端部に設けられたリング部とを含むものとすることができる。
【００２０】
この場合、さらに次のものを例示できる。すなわち、
前記両リング部のうち少なくとも一方はばね操作部であり、外部からの操作により前記コイルばねの伸縮方向に可動に前記ばねケースに設けられ、該方向に動かされることで前記コイルばねを圧縮又は伸長させて該コイルばねの螺旋ピッチを前記ナット雌ねじ部を提供する螺旋ピッチから外れた螺旋ピッチに変更可能であり、
前記両リング部のうち少なくとも一方は前記ばねケース及び前記コイルばねと共に回るように該ばねケースに設けられているとともに該コイルばねに臨設されている、というロックナットである。
【００２１】
このロックナットにおいては、差し支えない限り、前記両リング部のいずれもが、かかるばね操作部であってもよく、いずれか一方がかかるばね操作部であってもよい。
【００２２】
また、差し支えない限り、両リングのいずれもが、前記ばねケース及び前記コイルばねと共に回るように該ばねケースに設けられているとともに該コイルばねに臨設されていてもよい。かかるリング部のコイルばねへの臨設は、差し支えない限り、リング部がコイルばねに圧接するだけの状態でも、直接又は間接に連結された状態でもよい。
【００２３】
なお、少なくとも一方のリング部が前記ばね操作部であるとともに前記ばねケース及び前記コイルばねと共に回るように該ばねケースに設けられているとともに該コイルばねに臨設されていてもよい。
【００２４】
かかるロックナットとして、さらに次の実用的な（Ａ）、（Ｂ）のロックナットを例示できる。
（Ａ）
前記ばね操作部である少なくとも一つのリング部の一部は、前記コイルばねの螺旋ピッチが前記ナット雌ねじ部を提供する螺旋ピッチを示しているとき前記ばねケースの端部外へ突出しており、該突出したリング部の一部に外力を加えて該リング部を前記ばねケース側へ押すことで該コイルばねを圧縮してその螺旋ピッチを前記ナット雌ねじ部を提供する螺旋ピッチから外れた螺旋ピッチに変更可能なロックナット。
【００２５】
この場合、代表例として、前記ばねケースの端部外へ突出したリング部の一部を他の物品（例えばボルト上の他のナット等の物品）に相対的に圧接することで、該リング部をばねケース側へ押し、それにより該コイルばねを圧縮してばね螺旋ピッチをナット雌ねじ部を提供する螺旋ピッチから外れた螺旋ピッチに変更することができるものを挙げることができる。
【００２６】
前記ばね操作部である少なくとも一つのリング部は前記ばねケース内へ延在する内ケース部を有しており、該内ケース部に前記コイルばねが内嵌していてもよい。
（Ｂ）
前記ばね操作部である少なくとも一つのリング部は前記コイルばねの伸縮方向に可動に前記ばねケースに螺合され、該リング部を回して該ばねケース側へ移動させることで前記コイルばねを圧縮してその螺旋ピッチを前記ナット雌ねじ部を提供する螺旋ピッチから外れた螺旋ピッチに変更可能であるロックナット。
【００２７】
いずれにしても本発明に係るロックナットは、例えばつぎのように利用できる。
（１）二つ又はそれ以上の物品を合わせ固定するためにそれら物品にボルトが貫通され、該ボルトにナットが螺合されるとき、該ナットとして、且つ、回り止め可能なナットとして利用できる。二つ又はそれ以上の物品を合わせ固定又は連結するために用いる通常のナットに対するダブルナットとしても利用できる。
（２）物品に予め植え込み固定されたボルトを利用して該物品に他の物品を固定するために該植え込みボルトに他の物品が嵌め込まれ、その後に該ボルトにナットが螺合されるとき、該ナットして、且つ、回り止め可能なナットとして利用できる。物品に予め植え込み固定されたボルトを利用して該物品に他の物品を固定又は連結するために用いる通常のナットに対するダブルナットとしても利用できる。
（３）物品を直線駆動するために、物品に搭載されたナットをボルトに螺合させ、該ボルトとナットを相対的に回転させることで該物品をボルトに沿って直線駆動するときや、ボルトの端部等に物品を連結しておき、該ボルトにナットを螺合させ、該ボルトとナットを相対的に回転させることで該物品をボルト移動に伴ってボルト長手方向に直線駆動するときに、該物品に搭載されたナットをボルト上の所定位置に位置決めしたり、物品を連結されたボルトをナットに対し所定位置に位置決めするにあたり、該ボルトの所定位置に配置する位置決め用ナットとして利用できる。
【００２８】
【発明の実施の態様】
＜第１実施態様＞
ナット雌ねじ部を提供するコイルばねと、
前記ばねの伸縮を許すように該ばねに外嵌されたばねケースと、
前記ばねを間にして前記ばねケースの両端部に設けられたリング部とを含み、前記両リング部のうち一方はばね操作部であり、前記コイルばねの伸縮方向に可動に前記ばねケースに嵌められ、前記コイルばねの螺旋ピッチが前記ナット雌ねじ部を提供する螺旋ピッチを示しているとき、一端部が前記ばねケースの端部外へ突出するとともに他端部が前記コイルばねに臨み、
前記両リング部のうち他方は前記ばねケース及びコイルばねと共に回るように該ばねケースに設けられているとともに該コイルばねに臨設されており、
前記ばね操作部であるリング部の前記突出した一端部に外力を加えて該リング部を前記ばねケース側へ押すことで該コイルばねを圧縮してその螺旋ピッチを前記ナット雌ねじ部を提供する螺旋ピッチから外れた螺旋ピッチに変更可能であるロックナット。
【００２９】
図１〜図４にこの第１実施態様の具体例を示す。
【００３０】
図１（Ａ）は第１実施態様に係るロックナットＲ１の正面図であり、図１（Ｂ）は図１（Ａ）のＸ−Ｘ線に沿う断面図である。
【００３１】
図２（Ａ）〜（Ｄ）はそれぞれ図１（Ｂ）に示すロックナットＲ１の各構成部材の側面図又は断面図である。
【００３２】
図３は図１に示すロックナットの動作説明図であり、図３（Ａ）はコイルばね圧縮前の様子を示す断面図であり、図３（Ｂ）はナット回り止めのためにコイルばねが圧縮されている様子を示す断面図である。
【００３３】
図４は図１に示すロックナットの使用例を示す図である。
【００３４】
このロックナットＲ１は図１等に示すようにナット雌ねじ部を提供するコイルばね１と、ばね１に外嵌されたばねケース３と、ばね１を間にしてばねケース３の両端部に設けられた第１リング部２及び第２リング部４とを含んでいる。
【００３５】
ばねケース３は全体として筒状に形成されており、図１（Ａ）に示すように断面の外輪郭はナット回しレンチの係合が可能であるように六角形であり、両端間に断面円形孔が貫通している。
【００３６】
さらに説明すると、ばねケース３の一端部３１には、円形開口部３１１が形成されており、開口部３１１の内端からケース他端部３２に向かって断面円形孔３００が形成されており、ケース他端部３２には断面円形段差開口部３２１が形成されている。開口部３１１、円形孔３００及び段差開口部３２１の中心軸線は一致している。
【００３７】
円形孔３００の内径は開口部３１１のそれより若干大きく、段差開口部３２１の内径は円形孔３００のそれよりさらに大きい。
【００３８】
第１リング部２はばね操作部であり、円形のリング部で、断面円形の筒状の内ケース部２１を一体的に有している。第１リング部２の本体部分２０の外径は内ケース部２１の外径より若干小さい。本体部分２０の内径は、ロックナットＲ１を螺合させようとするボルトＢｔ（図３参照）に外嵌して該ボルトの長手方向に相対的な移動を可能にする内径であり、内ケース部２１の内径は該本体部分内径より大きい。
【００３９】
第１リング部２はばねケース３の他端部３２から該ケース内に挿入され、第１リング部２の本体部分２０がばねケース３の開口部３１１に、内ケース部２１がばねケース３の円形孔３００にそれぞれ内嵌され、ばねケース３の中心軸線方向に摺動可能に配置されている。
【００４０】
コイルばね１はケース３の他端部３２側から内ケース部２１に挿入され、内ケース部２１の内周面に沿ってばね伸縮方向に摺動可能に該内ケース部内に内嵌配置されている。従って、本例ではケース３は内ケース部２１を介してばね１に外嵌されている。
【００４１】
第２リング部４の内径は、ロックナットＲ１を螺合させようとするボルトＢｔに外嵌して該ボルトの長手方向に相対的な移動を可能にする内径であり、この第２リング部４はばねケース３他端部の段差開口部３２１に丁度内嵌固着されている。該固着は第２リング部４をケース３に溶接する、接着剤で接着する、螺着する等して行えるが、ここでは溶接されている。
【００４２】
第２リング部４はコイルばね１に臨んでおり、該ばねと共に回転できるように該ばねに連結されている。この連結は、両者を溶接する、接着剤で接着する、適当な係合手段にて連結する等により行えるが、ここでは溶接により連結されている。
【００４３】
かかる状態において、第１リング２の本体部分２０から内ケース部２１に続く部分の外側段差肩部２００がばねケース３の開口部３１１から円形孔３００に続く内側段差肩部３１１’に当接され、かくして第１リング部２はばねケース３の一端部から抜け止めされているとともに、本体部分２０の一部、換言すれば第１リング部２の一部２０１がばねケース３の端部から長さΔｈだけ外方向に突出している。また、内ケース部２１と第２リング部４との間に隙間ΔＩが形成されている。第１リング部突出量Δｈは該間隙ΔＩより大きいが、ΔＩより小さくても構わない。
【００４４】
内ケース部２１の内部に配置されたコイルばね１は、ばね操作部である第１リング部の本体部分２０から内ケース部２１に続く部分の内側段差肩部２００’に圧接している一方、第２リング部４に連結されている。
【００４５】
この状態においてコイルばね１は第１リング部２と第２リング部４との間に挟持され、該ばねの螺旋ピッチは、このロックナットＲ１を螺合させよとするボルトＢｔの雄ねじ部に螺合して回転できるナット雌ねじ部を提供する螺旋ピッチＰ（図３参照）に設定されている。
【００４６】
以上説明したロックナットＲ１は、図３（Ａ）に示すように、ナット雌ねじ部を提供するコイルばね１をボルトＢｔに螺合させることで、該ボルトに対し相対的に回転できる。この相対的回転はばねケース３を回動させることで第２リング部４を介してコイルばね１を一緒に回動させることや、ばねケース３を回らないように保持しておいて、従って第２リング部４を介してコイルばね１も回らないようにしておいてボルトＢｔを回すこと等により行える。
【００４７】
このようにボルトＢｔ上に螺合配置したロックナットＲ１において、図３（Ｂ）に示すように、ばねケース３の一端部３１から突出した第１リング部２の一部２０１を外力でケース３側へ押すと、他端が第２リング部４に支えられたコイルばね１が第１リング部２により圧縮され、それにより該コイルばねの螺旋ピッチがナット雌ねじ部を提供する螺旋ピッチＰより短い螺旋ピッチＰ’に変更される。その結果、該ばね１がボルトＢｔの雄ねじ部のねじ山Ｂｔ１の側面ｂｔ１’（換言するとねじ溝の側面Ｂｔ１’）に圧接されてばね１とボルトねじとの摩擦抵抗が生じ、この摩擦抵抗によりロックナットＲ１はボルトＢｔ上に確実に回り止めロックされる。このときコイルばね１はボルトＢｔのねじ山側面Ｂｔ１’に圧接されるだけであるから、ボルト雄ねじ部を実用上差し支えるほど傷付ける恐れはない。　回り止めロックするための第１リング部２（ばね操作部）の操作はこれをコイルばね１の伸縮方向に動かすだけのものであるからその操作は簡単であり、高価であったり、複雑な構造であったりする特別な工具は必要なく、簡単な操作で回り止めロックできる。
【００４８】
また、第１リング部２（ばね操作部）の一部２０１の押圧を解除すれば、コイルばね１は、その弾性復元力で第１リング部２を外側へ押しつつ図３（Ａ）に示す状態まで伸長し、ばね螺旋ピッチがナット雌ねじ部を提供する螺旋ピッチＰに復帰し、これにより再びロックナットＲ１全体がボルトＢｔに対し相対回転可能となり、ボルトＢｔ上の位置替えも可能となる。
【００４９】
また、かかるロックナットＲ１は構造簡単であり、それだけ安価に製作でき、入手、利用し易い。
【００５０】
前記ロックナットＲ１においては、第２リング部４はばね１に溶接連結されているが、図３（Ａ）に示す状態においてケース３を回せばばね１も回動させ得るほどの摩擦力をリング部４とばね１との間に発生させることができるのであれば、第２リング部４はばね１に圧接されているだけでもよい。
【００５１】
次にかかるロックナットＲ１の使用例を図４を参照して説明する。
【００５２】
図４はロックナットＲ１をボルトＢｔ上の位置決め部材として用いている例を示している。
【００５３】
図４に示す例では、ボルトＢｔはいわゆるボールねじ機構のボルトを形成しており、これに該ボールねじ機構のナット部Ｎｔが螺合している。ナット部Ｎｔには直線駆動しようとする物品Ｗが搭載されている。ロックナットＲ１はボルトＢｔ上の所定位置決めポジションに螺合配置されている。
【００５４】
このボルトＢｔは定位置で回転可能に支持されており、図示省略の駆動手段にて回転駆動可能である。ボルトＢｔを駆動回転させることでナット部Ｎｔがこれに搭載された物品Ｗと共にボルトＢｔの長手方向に沿って直線駆動される。また、ボルトＢｔが回転駆動されると、ロックナットＲ１もボルトＢｔとともに所定の位置決めボジションを維持したまま回転する。なお、この例ではロックナットＲ１はボルトＢｔに対し若干きつく螺合しており、換言すれば、コイルばね１の螺旋ピッチをそのように設定してあり、ボルトＢｔの回転にナットＲ１が確実に追随するようにしてある。
【００５５】
ロックナットＲ１がナット部Ｎｔから離れている間は、該ロックナットＲ１は図３（Ａ）に示す状態にあるが、ボルトＢｔの回転によりナット部ＮｔがロックナットＲ１に接触し、該ナットＲ１の第１リング部２の突出部分２０１をばねケース３内に向け押圧すると同時的にコイルばね１の螺旋ピッチＰがより短い螺旋ピッチＰ’に変更される。その結果、ロックナットＲ１がその位置に回り止めロックされ、ナット部Ｎｔ及びそれに搭載された物品Ｗが該ロックナットＲ１の位置に位置決めされる。
【００５６】
この状態からボルトＢｔを反対方向に駆動回転すれば、ナット部ＮｔがロックナットＲ１から後退し、これにより、第１リング部２（ばね操作部）の一部２０１の押圧が解除され、コイルばね１は、その弾性復元力で第１リング部２を外側へ押しつつ図３（Ａ）に示す状態まで伸長し、再びロックナットＲ１全体がボルトＢｔに対し相対回転可能となり、ボルトＢｔ上の位置替えも可能となる。
【００５７】
このようにロックナットＲ１は位置決め部材として利用でき、その位置替えも容易である。
＜第２実施態様＞
ナット雌ねじ部を提供するコイルばねと、
前記ばねの伸縮を許すように該ばねに外嵌されたばねケースと、
前記ばねを間にして前記ばねケースの両端部に設けられたリング部とを含み、
前記両リング部のうち一方はばね操作部であり、前記コイルばねの伸縮方向に可動に前記ばねケースに螺合されて前記コイルばねに当接可能であり、
前記両リング部のうち他方は前記ばねケース及びコイルばねと共に回るように該ばねケースに設けられているとともに該コイルばねに臨設されており、
前記ばね操作部であるリング部を回して前記ばねケース側へ移動させることで前記コイルばねを圧縮して該ばねの螺旋ピッチを前記ナット雌ねじ部を提供する螺旋ピッチから外れた螺旋ピッチに変更可能であるロックナット。
【００５８】
図５〜図８にこの第２実施態様の具体例を示す。
【００５９】
図５（Ａ）は第２実施態様に係るロックナットＲ２の正面図であり、図５（Ｂ）は図５（Ａ）のＹ−Ｙ線に沿う断面図である。
【００６０】
図６（Ａ）〜（Ｃ）はそれぞれ図５（Ｂ）に示すロックナットＲ２の各構成部材の側面図又は断面図である。
【００６１】
図７は図５に示すロックナットの動作説明図であり、図７（Ａ）はコイルばね圧縮前の様子を示す断面図であり、図７（Ｂ）はナット回り止めのためにコイルばねが圧縮されている様子を示す断面図である。
【００６２】
図８は図５に示すロックナットの使用例を示す図である。
【００６３】
このロックナットＲ２は図５等に示すようにナット雌ねじ部を提供するコイルばね１と、ばね１に外嵌されたばねケース５と、ばね１を間にしてばねケース５の両端部に設けられた第１リング部６及び第２リング部７とを含んでいる。
【００６４】
ばねケース５は全体として断面円形の筒状に形成されており、第１リング部６はケース５の一端部に一体的に形成されている。また、ケース５の外周面には雄ねじ５１が形成されている。
【００６５】
さらに説明すると、第１リング部６は断面円形筒状ケース５と中心軸線を同じくする円形開口部６１を有しており、該開口部６１の内径はケース５の内径より小さく、ロックナットＲ２を螺合させようとするボルトＢｔに外嵌して該ボルトの長手方向に相対的な移動を可能にする内径である。
【００６６】
コイルばね１はケース５の他端部側からケース５に挿入され、該ケースの内周面に沿ってばね伸縮方向に摺動可能に該ケース内に内嵌配置されている。
【００６７】
さらにケース５の他端部に第２リング部７が螺合されている。
【００６８】
第２リング部７はばね操作部であり、断面円形開口部７１を有しており、該開口部の内径はロックナットＲ２を螺合させようとするボルトＢｔに外嵌して該ボルトの長手方向に相対的な移動を可能にする内径である。
【００６９】
第２リング部７は開口部７１の周縁領域からケース５の方へ延びる短い円筒部７２を有しており、その内径はケース５の内径に一致している。第２リング部７はさらに該円筒部７２から延びる雌ねじリング部７３を有している。開口部７１、円筒部７２及び雌ねじリング部７３の中心軸線は一致している。
【００７０】
かくしてコイルばね１は第１リング部６と第２リング部７とに圧接し、それら両リング部に挟持されている。
【００７１】
ばね１は、第２リング部７を適当に回してこれをケース５に対し進退調整することで、その螺旋ピッチがナット雌ねじ部を提供する螺旋ピッチＰに設定される。この状態での、ばね１と両リング部６、７との相互摩擦力はケース５を回せば両リング部６、７及びばね１も一緒に回動する大きさのものである。
【００７２】
なお、ばね１は第１リング部６に溶接されたり、接着剤により接着されるなどしたり、適当な係合手段による等して第１リング部６に連結されてもよい。
【００７３】
以上説明したロックナットＲ２は、図７（Ａ）に示すように、ナット雌ねじ部を提供するコイルばね１をボルトＢｔに螺合させることで、該ボルトに対し相対的に回転できる。この相対的回転はばねケース５を回動させたり、両リング部６、７の一方又は双方を回動させたり、或いはケース５等を回らないように保持しておいて、従ってコイルばね１も回らないようにしておいてボルトＢｔを回すこと等により行える。
【００７４】
このようにボルトＢｔ上に螺合配置したロックナットＲ２において、図７（Ｂ）に示すようにばねケース５の他端部に螺合した第２リング部７を例えば手動で回して、該リング部をケース５側へ（第１リング部６側へ）移動させることで、第１リング部６に支えられたコイルばね１が第２リング部７により圧縮され、それにより該コイルばねの螺旋ピッチがナット雌ねじ部を提供する螺旋ピッチＰより短い螺旋ピッチＰ’に変更される。その結果、該ばね１がボルトＢｔの雄ねじ部のねじ山Ｂｔ１の側面ｂｔ１’に圧接されてばね１とボルトねじとの摩擦抵抗が生じ、この摩擦抵抗によりロックナットＲ２はボルトＢｔ上に確実に回り止めロックされる。このときコイルばね１はボルトＢｔのねじ山側面Ｂｔ１’に圧接されるだけであるから、ボルト雄ねじ部を実用上差し支えるほど傷付ける恐れはない。
【００７５】
また、第２リング部７（ばね操作部）を反対方向に回せば、コイルばね１は、その弾性復元力で第２リング部７の方へ図７（Ａ）に示す状態まで伸長し、ばね螺旋ピッチがナット雌ねじ部を提供する螺旋ピッチＰに復帰し、これにより再びロックナットＲ２全体がボルトＢｔに対し相対回転可能となり、ボルトＢｔ上の位置替えも可能となる。
【００７６】
回り止めロックするための第２リング部７（ばね操作部）の操作はこれをケース５上で回してコイルばね１の伸縮方向に動かすだけのものであるからその操作は簡単であり、高価であったり、複雑な構造であったりする特別な工具は必要なく、簡単な操作で回り止めロックできる。
【００７７】
かかるロックナットＲ２も構造簡単であり、それだけ安価に製作でき、入手、利用し易い。
【００７８】
次にかかるロックナットＲ２の使用例を図８を参照して説明する。
【００７９】
図８はロックナットＲ２をボルトＢｔ上の位置決め部材として用いている例を示している。
【００８０】
図８に示す例では、ボルトＢｔはいわゆるボールねじ機構のボルトを形成しており、これに該ボールねじ機構のナット部Ｎｔが螺合している。ナット部Ｎｔには直線駆動しようとする物品Ｗが搭載されている。
【００８１】
ロックナットＲ２は図８（Ａ）に示すようにボルトＢｔ上の所定位置決めポジションに螺合配置され、その位置で第２リング部７が手動回転されてケース５側へ（第１リング部６側へ）強く締めつけられることで、コイルばね１の螺旋ピッチＰがより短い螺旋ピッチＰ’に変更され、それによりその位置決めポジションに回り止めロックされる。かくしてロックナットＲ２はボルトＢｔとともに定位置で回転可能とされる。
【００８２】
この状態でボルトＢｔを回転駆動して図８（Ｂ）に示すようにナット部Ｎｔ及びこれに搭載された物品Ｗを直線駆動して該ロックナットＲ２に当接させることで該ロックナット位置に位置決めできる。ボルトＢｔを反対に駆動回転させることで、該ロックナット位置から後退させることもできる。
【００８３】
また、ロックナットＲ２において第２リング部７を反対方向に回してケース５とは反対側（第１リング部６から遠ざかる方向）へ移動させることで、コイルばね１は、その弾性復元力で第２リング部７の方へ図７（Ａ）に示す状態まで伸長でき、それにより再びロックナットＲ２全体がボルトＢｔに対し相対回転可能となり、ボルトＢｔ上の位置替えも可能となる。
【００８４】
このようにロックナットＲ２も位置決め部材として利用でき、その位置替えも容易である。
【００８５】
以上説明した、ロックナットＲ１、Ｒ２はボールねじ機構のボルトＢｔについて適用できるものを例示したが、それに限られるものではなく、ナットＲ１、Ｒ２は複数物品をボルトナットで固定したり、連結する場合にも、それ用のボルトに螺合させて回り止め機構付きナットとして利用することができ、その他にも種々の分野で利用できる。後述する本発明に係る他の実施例ロックナットについても同様である。
＜他の実施態様＞
次に、以上説明した以外の、本発明に係るロックナットの幾つかの具体例についても説明しておく。
【００８６】
図９は他のロックナットＲ１’を示している。このナットＲ１’は図１に示すナットＲ１において、第１リング部２につき、内ケース部２１に代えて本体部分２０に一体のフランジ部２０’を採用したものであり、フランジ部２０’はケース３の開口部３１１から円形孔３００に続く内側段差肩部３１１’に当接され、抜け止めされている。コイルばね１はフランジ部２０’と第２リング部４との間に挟持されている。
【００８７】
ばねの外径がケース円形孔３００の内径に比べて小さいので、図１に示す内ケース部２１を採用する方がばね１の位置が安定はするが、この例のように内ケース部２１を省略することもできる。
【００８８】
図１０はさらに他のロックナットＲ３を示している。このナットＲ３は図１に示すナットＲ１において第２リング部４に代えて、第１リング部２と同タイプのばね操作部となり得る第２リング部４’を採用したものである。第１及び第２のリング部２及び４’間にはリング部の移動を可能にする間隙ΔＩ’が形成されている。本例ではリング部２、４’が有する、ばね１を収納する内ケース部２１、２１’の長さは図１に示す内ケース部２１より短くしてある。また、図１のナットＲ１におけるケース３の内側段差肩部３１１’に代えて、ケース端部に嵌着されるリング部抜け止め部材Ｓが採用されている。ばね１は両リング部間に挟着され、ケース３及び両リング部２、４’とともに回転できる。
【００８９】
図１１はさらに他のロックナットＲ４を示している。このナットＲ４は図５に示すナットＲ２において第１リング部６に代えて、図１に示すタイプのばね操作部である可動の第１リング部２と同タイプのリング部２’を採用したものである。図１１において５’はリング部２’を内装したばねケースであり、７’はばねケース５’に螺合した第２リング部を示している。
【００９０】
図１２はさらに他のロックナットＲ５を示している。このナットＲ５は図１１に示すナットＲ４において第２リング部７’に代えてばねケース５’に螺合可能のリング部７”を採用し、これにリング部２’と同様のリング部２’を嵌めたタイプのものである。
【００９１】
以上図面を参照して説明したロックナットはいずれもコイルばね１を圧縮することでばね螺旋ピッチを変更してナットの回り止めロックを行うものであったが、ばね１を伸長させることで螺旋ピッチを変更してナットの回り止めロックを行うものであってもよい。例えば図５のロックナットＲ２において、第２リング部７をばね１に適当な連結部材で若干の相対回動を許すように連結しておき、リング部７を第１リング部６から遠ざかる方向に回すことでばね１を引っ張り、それによりばね螺旋ピッチを変更し、該ばねをボルトねじ山の側面に圧接できるようにしてもよい。
【００９２】
【発明の効果】
以上説明したように本発明によると、ボルトに螺合して該ボルトに対し相対的に回転可能であるとともに専用の工具を要することなく、それだけ簡単な操作で、且つ、ボルト雄ねじ部を実用上差し支えるほど傷付ける恐れなく、該ボルト上の所定位置に、位置替え可能に、信頼性高く回り止めロック可能であり、各種分野に利用できる構造簡単なロックナットを提供することができる。
【図面の簡単な説明】
【図１】図１（Ａ）は本発明の第１実施態様に係るロックナットＲ１の正面図であり、図１（Ｂ）は図１（Ａ）のＸ−Ｘ線に沿う断面図である。
【図２】図２（Ａ）〜（Ｄ）はそれぞれ図１（Ｂ）に示すロックナットＲ１の各構成部材の側面図又は断面図である。
【図３】図３は図１に示すロックナットの動作説明図であり、図３（Ａ）はコイルばね圧縮前の様子を示す断面図であり、図３（Ｂ）はナット回り止めのためにコイルばねが圧縮されている様子を示す断面図である。
【図４】図４は図１に示すロックナットの使用例を示す図である。
【図５】図５（Ａ）は第２実施態様に係るロックナットＲ２の正面図であり、図５（Ｂ）は図５（Ａ）のＹ−Ｙ線に沿う断面図である。
【図６】図６（Ａ）〜（Ｃ）はそれぞれ図５（Ｂ）に示すロックナットＲ２の各構成部材の側面図又は断面図である。
【図７】図７は図５に示すロックナットの動作説明図であり、図７（Ａ）はコイルばね圧縮前の様子を示す断面図であり、図７（Ｂ）はナット回り止めのためにコイルばねが圧縮されている様子を示す断面図である。
【図８】図８は図５に示すロックナットの使用例を示す図である。
【図９】本発明に係るロックナットのさらに他の例の断面図である。
【図１０】本願発明に係るロックナットのさらに他の例の断面図である。
【図１１】本願発明に係るロックナットのさらに他の例の断面図である。
【図１２】本願発明に係るロックナットのさらに他の例の断面図である。
【符号の説明】
Ｒ１　ロックナット
１　コイルばね
２　第１リング部
２１　内ケース部
３　ばねケース
３００　断面円形孔
３１１　円形開口部
３２１　段差開口部
４　第２リング部
Ｂｔ　ボルト
Ｎｔ　ナット
Ｗ　物品
Ｒ２　ロックナット
５　ばねケース
６　第１リング部
６１　円形開口部
７　第２リング部
７１　円形開口部
７２　短い円筒部
７３　雌ねじリング部
Ｐ　ピッチ
Ｒ１’　ロックナット
２０’　フランジ部
３１１’　内側段差肩部
Ｒ３　ロックナット
４’第２リング部
２１’　内ケース部
Ｒ４　ロックナット
５’　ばねケース
７’　第２リング部
Ｒ５　ロックナット
７”　リング部
【図１】
2004019816.tif 000003
【図２】
2004019816.tif 000004
【図３】
2004019816.tif 000005
【図４】
2004019816.tif 000006
【図５】
2004019816.tif 000007
【図６】
2004019816.tif 000008
【図７】
2004019816.tif 000009
【図８】
2004019816.tif 000010
【図９】
2004019816.tif 000011
【図１０】
2004019816.tif 000012
【図１１】
2004019816.tif 000013
【図１２】
2004019816.tif 000014